(57)【要約】【課題】本復旧まで長期間放置しておいても一部損傷したクロージャを保護することができる緊急復旧用クロージャを提供する。【解決手段】緊急復旧用クロージャ１０は、損傷したクロージャをメッセンジャワイヤと共に収容するための筒状容器を形成する本体２０と、本体２０の両端面の内側に取り付けられた第１乃至第４のスポンジ部材３０1〜３０4と、本体２０の両端面の外側に取り付けられた第１および第２のメッセン支持金具４１1，４１2とを具備する。第１乃至第４のスポンジ部材３０1〜３０4には、光ファイバケーブルを本体２０内に導入するための複数本の第１乃至第４のケーブル用スリット３１1〜３１4が形成されている。第１および第２のスポンジ部材３０1，３０2には、メッセンジャワイヤを本体２０内に導入するための第１および第２のメッセン用スリット３２1，３２2も形成されている。【選択図】図１
2008176122.tif 000002
【特許請求の範囲】
【請求項１】
メッセンジャワイヤ（２）に取り付けられたクロージャ（９００）が損傷したときに該クロージャを収容して保護するための緊急復旧用クロージャ（１０）であって、
前記クロージャを前記メッセンジャワイヤと共に収容するためのかつ上部と下部とが開閉可能に連結された筒状容器を形成する本体（２０）と、
該本体の両端面の内側にそれぞれ取り付けられたケーブル・ワイヤ導入部材（３０1〜３０4）と、
前記本体の両端面の外側にそれぞれ取り付けられた、かつ、前記緊急復旧用クロージャを前記メッセンジャワイヤに固定するための第１および第２のメッセン支持金具（４１1，４１2）と、
を具備し、
前記ケーブル・ワイヤ導入部材に、前記クロージャ内に導入されている光ファイバケーブル（１1，１2）を前記本体内に導入するための複数本のケーブル用スリット（３１1〜３１4）と、前記メッセンジャワイヤを前記本体内に導入するためのメッセン用スリット（３２1，３２2）とが形成されている、
ことを特徴とする、緊急復旧用クロージャ。
【請求項２】
前記本体が、前記筒状容器の上部を形成する上部カバー（２１）と、該筒状容器の下部を形成する下部カバー（２２）とを備え、
前記上部カバーと前記下部カバーとが、互いの長手方向に沿った辺同士が開閉自在に連結されている、
ことを特徴とする、請求項１記載の緊急復旧用クロージャ。
【請求項３】
前記上部カバーの両端面の下側部分に、第１および第２の上部開口部（２１ａ1，２１ａ2）がそれぞれ形成されており、
前記上部カバーの前記第１および第２の上部開口部の上方中央に、前記メッセンジャワイヤを貫通させるための半円状の第１および第２の切欠き（２３1，２３2）がそれぞれ形成されており、
前記上部カバーの前記第１および第２の上部開口部の上方中央に、前記第１および第２のメッセン支持金具がそれぞれ取り付けられている、
ことを特徴とする、請求項２記載の緊急復旧用クロージャ。
【請求項４】
前記下部カバーの両端面の上側部分に、第１および第２の下部開口部（２２ａ1，２２ａ2）がそれぞれ形成されており、
前記下部カバーの前記第１および第２の下部開口部の下方中央に、前記第１および第２のメッセン支持金具（４２1，４２2）がそれぞれ取り付けられている、
ことを特徴とする、請求項２記載の緊急復旧用クロージャ。
【請求項５】
前記下部カバーの両端面の上側部分に、第１および第２の下部開口部（２２ａ1，２２ａ2）がそれぞれ形成されており、
前記ケーブル・ワイヤ導入部材が、第１乃至第４のケーブル・ワイヤ導入部材（３０1〜３０4）からなり、
前記第１のケーブル・ワイヤ導入部材が、前記第１の上部開口部および前記第１の切欠きに蓋をするように前記上部カバーの内側に取り付けられており、
前記第２のケーブル・ワイヤ導入部材が、前記第２の上部開口部および前記第２の切欠きに蓋をするように前記上部カバーの内側に取り付けられており、
前記第３のケーブル・ワイヤ導入部材が、前記第１の下部開口部に蓋をするように前記下部カバーの内側に取り付けられており、
前記第４のケーブル・ワイヤ導入部材が、前記第２の下部開口部に蓋をするように前記下部カバーの内側に取り付けられている、
ことを特徴とする、請求項３または４記載の緊急復旧用クロージャ。
【請求項６】
メッセンジャワイヤ（２）に取り付けられたクロージャ（９００）が損傷したときに該クロージャを収容して保護するための緊急復旧用クロージャ（１００）であって、
第１および第２の端面部（１１０1，１１０2）と、
該第１および第２の端面部にそれぞれ取り付けられたケーブル・ワイヤ導入部材（１３０1〜１３０4）と、
前記第１および第２の端面部の外側にそれぞれ取り付けられた、かつ、前記緊急復旧用クロージャを前記メッセンジャワイヤに固定するための第１および第２のメッセン支持金具（１４１1，１４１2）と、
前記第１および第２の端面部が互いに対向するように該第１および第２の端面部を支持するための複数本のロッドと、
前記第１および第２の端面部間の空間を密封するための被覆部材（１７０）と、
を具備し、
前記ケーブル・ワイヤ導入部材に、前記クロージャ内に導入されている光ファイバケーブル（１1，１2）を前記本体内に導入するための複数本のケーブル用スリット（１３１1〜１３１4）と、前記メッセンジャワイヤを前記本体内に導入するためのメッセン用スリット（１３２1，１３２2）とが形成されている、
ことを特徴とする、緊急復旧用クロージャ。
【請求項７】
前記第１の端面部が、互いの厚さ方向に沿った辺同士が開閉自在に連結された第１の上部カバー（１２１1）および第１の下部カバー（１２２1）からなり、
前記第２の端面部が、互いの厚さ方向に沿った辺同士が開閉自在に連結された第２の上部カバー（１２１2）および第２の下部カバー（１２２2）とからなる、
ことを特徴とする、請求項６記載の緊急復旧用クロージャ。
【請求項８】
前記第１および第２の上部カバーの下側部分に、第１および第２の上部開口部（１２１ａ1，１２１ａ2）がそれぞれ形成されており、
前記第１および第２の上部カバーの前記第１および第２の上部開口部の上方中央に、前記メッセンジャワイヤを貫通させるための半円状の第１および第２の切欠き（１２３1，１２３2）がそれぞれ形成されており、
前記第１および第２の上部カバーの前記第１および第２の上部開口部の上方中央に、前記第１および第２のメッセン支持金具がそれぞれ取り付けられている、
ことを特徴とする、請求項７記載の緊急復旧用クロージャ。
【請求項９】
前記下部カバーの両端面の上側部分に、第１および第２の下部開口部（１２２ａ1，１２２ａ2）がそれぞれ形成されており、
前記下部カバーの前記第１および第２の下部開口部の下方中央に、前記第１および第２のメッセン支持金具（４２1，４２2）がそれぞれ取り付けられている、
ことを特徴とする、請求項７記載の緊急復旧用クロージャ。
【請求項１０】
前記第１および第２の下部カバーの両端面の上側部分に、第１および第２の下部開口部（１２２ａ1，１２２ａ2）がそれぞれ形成されており、
前記ケーブル・ワイヤ導入部材が、第１乃至第４のケーブル・ワイヤ導入部材（１３０1〜１３０4）からなり、
前記第１のケーブル・ワイヤ導入部材が、前記第１の上部開口部および前記第１の切欠きを塞ぐように前記第１の上部カバーに取り付けられており、
前記第２のケーブル・ワイヤ導入部材が、前記第２の上部開口部および前記第２の切欠きを塞ぐように前記第２の上部カバーに取り付けられており、
前記第３のケーブル・ワイヤ導入部材が、前記第１の下部開口部を塞ぐように前記第１の下部カバーに取り付けられており、
前記第４のケーブル・ワイヤ導入部材が、前記第２の下部開口部を塞ぐように前記第２の下部カバーに取り付けられている、
ことを特徴とする、請求項８または９記載の緊急復旧用クロージャ。
【請求項１１】
前記被覆部材の一方の端を前記第１の端面部に固定するとともに前記被覆部材の他方の端を前記第２の端面部に巻き付けて固定するための面ファスナーが、該被覆部材の両端および該第１および第２の端面部に取り付けられていることを特徴とする、請求項６乃至１０いずれかに記載の緊急復旧用クロージャ。
【請求項１２】
前記ロッドが、伸縮可能な伸縮ロッド（１６０1〜１６０6）であり、
前記被覆部材が、該伸縮ロッドの伸縮方向に沿って蛇腹状にされている、
ことを特徴とする、請求項６乃至１１いずれかに記載の緊急復旧用クロージャ。
【請求項１３】
前記第１のケーブル・ワイヤ導入部材（３０1；１３０1）の底面に、前記光ファイバケーブルを通すための複数本の第１のケーブル用スリット（３１1；１３１1）と、前記メッセンジャワイヤを前記第１の切欠き（２３1；１２３1）まで通すための第１のメッセン用スリット（３２1；１３２1）とが形成されており、
前記第２のケーブル・ワイヤ導入部材（３０2；１３０2）の底面に、前記光ファイバケーブルを通すための複数本の第２のケーブル用スリット（３１2；１３１2）と、前記メッセンジャワイヤを前記第２の切欠き（２３2；１２３2）まで通すための第２のメッセン用スリット（３２2；１３２2）とが形成されており、
前記第３のケーブル・ワイヤ導入部材（３０3；１３０3）の上面に、前記光ファイバケーブルを通すための複数本の第３のケーブル用スリット（３１3；１３１3）が形成されており、
前記第４のケーブル・ワイヤ導入部材（３０4；１３０4）の上面に、前記光ファイバケーブルを通すための複数本の第４のケーブル用スリット（３１4；１３１4）が形成されている、
ことを特徴とする、請求項５、１０乃至１２いずれかに記載の緊急復旧用クロージャ。
【発明の詳細な説明】
【技術分野】
【０００１】
本発明は、緊急復旧用クロージャに関し、特に、電柱などに架設されている光ファイバケーブル接続用のクロージャの一部が損傷した場合の応急処置として使用するのに好適な緊急復旧用クロージャに関する。
【背景技術】
【０００２】
近年の高度情報化社会の発展に伴って情報伝達網は拡大の一途を辿っている。その中でも、光ファイバ網は、大容量情報の高速伝送が可能であり、デジタル情報伝達網の中核的存在となっている。このため、光ファイバ網を火災などの事故および回線障害から保護して情報通信サービスなどを維持することが重要となっている。
【０００３】
従来、光ファイバ網を火災などの事故および回線障害から保護する対策は、主として、光ファイバケーブルの断線および回線障害に対して仮設光ファイバケーブルを設置することにより行われてきた。
【０００４】
たとえば、下記の特許文献１には、光ケーブルの障害区間を応急用光ケーブルの布設により復旧させる際の作業能率を向上させて復旧に要する時間を短縮するために、簡易接続用接続箱の接続箱本体には正常側光ケーブルを導入するケーブル導入管と、応急用光ケーブルを接続する六心一括レセプタクルと、両ケーブルの光ファイバをメカニカル接続するファイバロックスプライスと、接続箱本体を施工部の任意の位置に固定する固定具とを備えており、六心一括レセプタクルからは光ファイバが接続箱内に延出され、その先端部は、メカニカル接続のための前処理が施されて、ファイバロックスプライスの挿通部の一方側にあらかじめ挿着してあり、簡易接続装置が、二個の簡易接続用接続箱と、両端側に簡易接続用接続箱の六心一括レセプタクルに着脱可能な六心一括コネクタを備えた応急用光ケーブルとを備えている、簡易接続用接続箱が開示されている。
また、下記の特許文献２には、光ケーブルの障害区間を応急用光ケーブルの布設により復旧させる際に光ファイバ接続などに必要な作業工程を極力減らすことにより作業能率を向上させて復旧に要する時間を短縮するために、応急用光ケーブル装置が応急用光ケーブルを備えており、応急用光ケーブルの両端部には簡易接続具が取り付けてあり、簡易接続具が二箇所に光ファイバ導入部を有し、光ファイバ導入部にはガイド溝を有しており、光ファイバ導入部の間には装着部が設けてあり、装着部には光ファイバの接続ができるファイバロックスプライスが周方向に装着してあり、応急用光ケーブルの光ファイバが、簡易接続具の一方の光ファイバ導入部のガイド溝に導入され、光ファイバの先端部が接続のための前処理が施されて、ファイバロックスプライスの挿通孔の一方側にあらかじめ挿入してあり、簡易接続具が取外し可能な防護カバーで覆ってある、応急用光ケーブル装置が開示されている。
【特許文献１】実開平５−５０４０６号公報
【特許文献２】実開平６−１６９０５号公報
【発明の開示】
【発明が解決しようとする課題】
【０００５】
しかしながら、光ファイバケーブルの故障および断線に対して仮設の光ファイバケーブルを設置する方法だけでは光ファイバ網の維持を十分に図ることはできず、電柱などに架設されている光ファイバケーブル接続用のクロージャの故障に対しても十分な対策を講じる必要がある。
たとえば、火事などの災害時において図８に示すようにクロージャ９００の一部が焼損した場合には、従来では、焼損したクロージャ９００をビニールシートで覆って、本復旧までの間の風雨対策をしていた。しかし、ビニールシートでの仮覆いであるため、ビニールシートを十分に固定していないと、ビニールシートが風で飛ばされたりビニールシートの隙間から雨がクロージャ９００の内部に入ったりするため、直ぐに本復旧を行う必要があるが、第１および第２の光ファイバケーブル１1，１2が回線停止まで至っていない場合には、利用者からの申出により直ぐに本復旧作業を開始することができずに、長時間ビニールシートでの仮覆いのまま放置せざるを得ないという問題があった。
【０００６】
本発明の目的は、本復旧まで長期間放置しておいても一部損傷したクロージャを保護することができる緊急復旧用クロージャを提供することにある。
【課題を解決するための手段】
【０００７】
本発明の緊急復旧用クロージャは、メッセンジャワイヤ（２）に取り付けられたクロージャ（９００）が損傷したときに該クロージャを収容して保護するための緊急復旧用クロージャ（１０）であって、前記クロージャを前記メッセンジャワイヤと共に収容するためのかつ上部と下部とが開閉可能に連結された筒状容器を形成する本体（２０）と、該本体の両端面の内側にそれぞれ取り付けられたケーブル・ワイヤ導入部材（３０1〜３０4）と、前記本体の両端面の外側にそれぞれ取り付けられた、かつ、前記緊急復旧用クロージャを前記メッセンジャワイヤに固定するための第１および第２のメッセン支持金具（４１1，４１2）とを具備し、前記ケーブル・ワイヤ導入部材に、前記クロージャ内に導入されている光ファイバケーブル（１1，１2）を前記本体内に導入するための複数本のケーブル用スリット（３１1〜３１4）と、前記メッセンジャワイヤを前記本体内に導入するためのメッセン用スリット（３２1，３２2）とが形成されていることを特徴とする。
ここで、前記本体が、前記筒状容器の上部を形成する上部カバー（２１）と、該筒状容器の下部を形成する下部カバー（２２）とを備え、前記上部カバーと前記下部カバーとが、互いの長手方向に沿った辺同士が開閉自在に連結されていてもよい。
前記上部カバーの両端面の下側部分に、第１および第２の上部開口部（２１ａ1，２１ａ2）がそれぞれ形成されており、前記上部カバーの前記第１および第２の上部開口部の上方中央に、前記メッセンジャワイヤを貫通させるための半円状の第１および第２の切欠き（２３1，２３2）がそれぞれ形成されており、前記上部カバーの前記第１および第２の上部開口部の上方中央に、前記第１および第２のメッセン支持金具がそれぞれ取り付けられていてもよい。
前記下部カバーの両端面の上側部分に、第１および第２の下部開口部（２２ａ1，２２ａ2）がそれぞれ形成されており、前記下部カバーの前記第１および第２の下部開口部の下方中央に、前記第１および第２のメッセン支持金具（４２1，４２2）がそれぞれ取り付けられていてもよい。
前記下部カバーの両端面の上側部分に、第１および第２の下部開口部（２２ａ1，２２ａ2）がそれぞれ形成されており、前記ケーブル・ワイヤ導入部材が、第１乃至第４のケーブル・ワイヤ導入部材（３０1〜３０4）からなり、前記第１のケーブル・ワイヤ導入部材が、前記第１の上部開口部および前記第１の切欠きに蓋をするように前記上部カバーの内側に取り付けられており、前記第２のケーブル・ワイヤ導入部材が、前記第２の上部開口部および前記第２の切欠きに蓋をするように前記上部カバーの内側に取り付けられており、前記第３のケーブル・ワイヤ導入部材が、前記第１の下部開口部に蓋をするように前記下部カバーの内側に取り付けられており、前記第４のケーブル・ワイヤ導入部材が、前記第２の下部開口部に蓋をするように前記下部カバーの内側に取り付けられていてもよい。
また、本発明の緊急復旧用クロージャは、メッセンジャワイヤ（２）に取り付けられたクロージャ（９００）が損傷したときに該クロージャを収容して保護するための緊急復旧用クロージャ（１００）であって、第１および第２の端面部（１１０1，１１０2）と、該第１および第２の端面部にそれぞれ取り付けられたケーブル・ワイヤ導入部材（１３０1〜１３０4）と、前記第１および第２の端面部の外側にそれぞれ取り付けられた、かつ、前記緊急復旧用クロージャを前記メッセンジャワイヤに固定するための第１および第２のメッセン支持金具（１４１1，１４１2）と、前記第１および第２の端面部が互いに対向するように該第１および第２の端面部を支持するための複数本のロッドと、前記第１および第２の端面部間の空間を密封するための被覆部材（１７０）とを具備し、前記ケーブル・ワイヤ導入部材に、前記クロージャ内に導入されている光ファイバケーブル（１1，１2）を前記本体内に導入するための複数本のケーブル用スリット（１３１1〜１３１4）と、前記メッセンジャワイヤを前記本体内に導入するためのメッセン用スリット（１３２1，１３２2）とが形成されていてもよい。
前記第１の端面部が、互いの厚さ方向に沿った辺同士が開閉自在に連結された第１の上部カバー（１２１1）および第１の下部カバー（１２２1）からなり、前記第２の端面部が、互いの厚さ方向に沿った辺同士が開閉自在に連結された第２の上部カバー（１２１2）および第２の下部カバー（１２２2）とからなってもよい。
前記第１および第２の上部カバーの下側部分に、第１および第２の上部開口部（１２１ａ1，１２１ａ2）がそれぞれ形成されており、前記第１および第２の上部カバーの前記第１および第２の上部開口部の上方中央に、前記メッセンジャワイヤを貫通させるための半円状の第１および第２の切欠き（１２３1，１２３2）がそれぞれ形成されており、前記第１および第２の上部カバーの前記第１および第２の上部開口部の上方中央に、前記第１および第２のメッセン支持金具がそれぞれ取り付けられていてもよい。
前記下部カバーの両端面の上側部分に、第１および第２の下部開口部（１２２ａ1，１２２ａ2）がそれぞれ形成されており、前記下部カバーの前記第１および第２の下部開口部の下方中央に、前記第１および第２のメッセン支持金具（４２1，４２2）がそれぞれ取り付けられていてもよい。
前記第１および第２の下部カバーの両端面の上側部分に、第１および第２の下部開口部（１２２ａ1，１２２ａ2）がそれぞれ形成されており、前記ケーブル・ワイヤ導入部材が、第１乃至第４のケーブル・ワイヤ導入部材（１３０1〜１３０4）からなり、前記第１のケーブル・ワイヤ導入部材が、前記第１の上部開口部および前記第１の切欠きを塞ぐように前記第１の上部カバーに取り付けられており、前記第２のケーブル・ワイヤ導入部材が、前記第２の上部開口部および前記第２の切欠きを塞ぐように前記第２の上部カバーに取り付けられており、前記第３のケーブル・ワイヤ導入部材が、前記第１の下部開口部を塞ぐように前記第１の下部カバーに取り付けられており、前記第４のケーブル・ワイヤ導入部材が、前記第２の下部開口部を塞ぐように前記第２の下部カバーに取り付けられていてもよい。
前記被覆部材の一方の端を前記第１の端面部に固定するとともに前記被覆部材の他方の端を前記第２の端面部に巻き付けて固定するための面ファスナーが、該被覆部材の両端および該第１および第２の端面部に取り付けられていてもよい。
前記ロッドが、伸縮可能な伸縮ロッド（１６０1〜１６０6）であり、前記被覆部材が、該伸縮ロッドの伸縮方向に沿って蛇腹状にされていてもよい。
前記第１のケーブル・ワイヤ導入部材（３０1；１３０1）の底面に、前記光ファイバケーブルを通すための複数本の第１のケーブル用スリット（３１1；１３１1）と、前記メッセンジャワイヤを前記第１の切欠き（２３1；１２３1）まで通すための第１のメッセン用スリット（３２1；１３２1）とが形成されており、前記第２のケーブル・ワイヤ導入部材（３０2；１３０2）の底面に、前記光ファイバケーブルを通すための複数本の第２のケーブル用スリット（３１2；１３１2）と、前記メッセンジャワイヤを前記第２の切欠き（２３2；１２３2）まで通すための第２のメッセン用スリット（３２2；１３２2）とが形成されており、前記第３のケーブル・ワイヤ導入部材（３０3；１３０3）の上面に、前記光ファイバケーブルを通すための複数本の第３のケーブル用スリット（３１3；１３１3）が形成されており、前記第４のケーブル・ワイヤ導入部材（３０4；１３０4）の上面に、前記光ファイバケーブルを通すための複数本の第４のケーブル用スリット（３１4；１３１4）が形成されていてもよい。
【発明の効果】
【０００８】
本発明の緊急復旧用クロージャは、以下のような効果を奏する。
（１）損傷したクロージャを緊急復旧用クロージャ内に収容することにより、本復旧までに長時間放置されても風で飛ばされたり雨がクロージャ内部に入ったりすることを完全に防止することができるので、クロージャを本復旧まで重大な障害を生じさせることなく保護することができる。
（２）損傷したクロージャをメッセンジャワイヤに取り付けたまま緊急復旧用クロージャで覆うことにより応急復旧ができるので、一時的な応急復旧を短時間に確実に行うことができる。
（３）本復旧を行う際に緊急復旧用クロージャを容易に取り外すことができるので、本復旧の作業性を向上することができる。
【発明を実施するための最良の形態】
【０００９】
上記の目的を、クロージャをメッセンジャワイヤと共に収容するための本体の両端面の内側に、光ファイバケーブルを本体内に導入するための複数本のケーブル用スリットとメッセンジャワイヤを本体内に導入するためのメッセン用スリットとが形成されたケーブル・ワイヤ導入部材をそれぞれ取り付けることにより実現した。
【実施例１】
【００１０】
以下、本発明の緊急復旧用クロージャの実施例について、図面を参照して説明する。
本発明の第１の実施例による緊急復旧用クロージャ１０は、図１に示すように、図８に示したような損傷したクロージャ９００をメッセンジャワイヤ２と共に収容するための筒状容器を形成する本体２０と、第１乃至第４のスポンジ部材３０1〜３０4（第２のスポンジ部材３０2は不図示）と、第１および第２のメッセン支持金具４１1，４１2（第２のメッセン支持金具４１2は不図示）とを具備する。
【００１１】
ここで、本体２０は、筒状容器の上部を形成する上部カバー２１と、筒状容器の下部を形成する下部カバー２２とからなる。上部カバー２１と下部カバー２２とは互いの長手方向に沿った辺同士がヒンジ（不図示）によって開閉自在に連結されており、上部カバー２１と下部カバー２２とを閉じることによって筒状容器が形成される。
【００１２】
図２（ａ）に上部カバー２１の一方の端面（上部カバー２１の長手方向と垂直な方向（幅方向）に沿った面）について示すように、上部カバー２１の両端面の下側部分には第１および第２の上部開口部２１ａ1，２１ａ2（第２の上部開口部２１ａ2は不図示）がそれぞれ形成されている。
上部カバー２１の第１および第２の上部開口部２１ａ1，２１ａ2の上方中央には、メッセンジャワイヤ２を貫通させるための半円状の第１および第２の切欠き２３1，２３2（第２の切欠き２３2は不図示）がそれぞれ形成されている。ここで、第１および第２の切欠き２３1，２３2の半径は、メッセンジャワイヤ２の半径以上とされている。
また、図２（ｂ）に上部カバー２１の一方の端面について示すように、上部カバー２１の第１および第２の上部開口部２１ａ1，２１ａ2の上方中央には、メッセンジャワイヤ２を左右から挟持して支持するための第１および第２のメッセン支持金具４１1，４１2が取り付けられている。ここで、第１および第２のメッセン支持金具４１1，４１2の上半分のみが上部カバー２１に固定されており、第１および第２のメッセン支持金具４１1，４１2の下半分は、メッセンジャワイヤ２を通すことができるように、左右に開閉自在となっている。
【００１３】
第１のスポンジ部材３０1は、図３（ａ）に示すように第１の上部開口部２１ａ1および第１の切欠き２３1に蓋をするように上部カバー２１の内側に取り付けられている。同様に、第２のスポンジ部材３０2は、第２の上部開口部２１ａ2および第２の切欠き２３2に蓋をするように上部カバー２１の内側に取り付けられている。
【００１４】
第１のスポンジ部材３０1の底面には、第１および第２の光ファイバケーブル１1，１2を通すための第１のケーブル用スリット３１1と、メッセンジャワイヤ２を通すための第１のメッセン用スリット３２1とが、第１のスポンジ部材３０1の底面に対して垂直に形成されている。
【００１５】
ここで、第１のケーブル用スリット３１1は、第１および第２の光ファイバケーブル１1，１2の間隔が異なる場合にも対応できるように、第１のメッセン用スリット３２1の左右に５本ずつ第１のスポンジ部材３０1の底面に沿って（すなわち、上部カバー２１の幅方向に）等間隔に形成されている。また、第１のケーブル用スリット３１1の長さは、第１および第２の光ファイバケーブル１1，１2の半径よりも長くされている。
【００１６】
第１のメッセン用スリット３２1は、第１の切欠き２３1の中央を横切るように、上部カバー２１の幅方向の中央に形成されている。これにより、第１のメッセン用スリット３２1を介して第１の切欠き２３1まで挿入されたメッセンジャワイヤ２を第１のメッセン支持金具４１1で挟持したのに、図３（ｂ）に示すように第１のボルト５０1および第１のナット５１1で第１のメッセン支持金具４１1の下部を固定することにより、緊急復旧用クロージャ１０をメッセンジャワイヤ２に固定することができる。
【００１７】
第２のスポンジ部材３０2は、上述した第１のスポンジ部材３０1と同様に構成されている。
【００１８】
図４（ａ）に下部カバー２２の一方の端面（下部カバー２２の長手方向と垂直な方向（幅方向）に沿った面）について示すように、下部カバー２２の両端面の上側部分には第１および第２の下部開口部２２ａ1，２２ａ2（第２の下部開口部２２ａ2は不図示）がそれぞれ形成されている。
【００１９】
第３のスポンジ部材３０3は、図４（ｂ）に示すように第１の下部開口部２２ａ1に蓋をするように下部カバー２２の内側に取り付けられている。同様に、第４のスポンジ部材３０4は、第２の下部開口部２２ａ1に蓋をするように下部カバー２２の内側に取り付けられている。
【００２０】
また、第３のスポンジ部材３０3の上面には、第１および第２の光ファイバケーブル１1，１2を通すための第３のケーブル用スリット３１3が、第３のスポンジ部材３０3の上面に対して垂直に形成されている。
第３のケーブル用スリット３１3は、図５に示すように、上部カバー２１と下部カバー２２とを閉じたときに第１のケーブル用スリット３１1と互いに対向するように、１０本ほど第３のスポンジ部材３０3の上面に沿って（すなわち、下部カバー２２の幅方向に）等間隔に形成されている。また、第３のケーブル用スリット３１3の長さは、上述した第１のケーブル用スリット３１1と同様に、第１および第２の光ファイバケーブル１1，１2の半径よりも長くされている。
これにより、上部カバー２１と下部カバー２２とを閉じると、図５に示すように、第１および第２の光ファイバケーブル１1，１2を第１のケーブル用スリット３１1と第３のケーブル用スリット３１3とで把持して固定することができる。
【００２１】
第４のスポンジ部材３０4は、上述した第３のスポンジ部材３０3と同様に構成されている。
【００２２】
以上説明したように、第１および第２の光ファイバケーブル１1，１2とメッセンジャワイヤ２とを第１乃至第４のスポンジ部材３０1〜３０4を介して本体２０内に導入することにより、第１および第２の光ファイバケーブル１1，１2を把持していない第１乃至第４のケーブル用スリット３１1〜３１4は密着した状態で閉じており、また、第１および第２の光ファイバケーブル１1，１2を把持している第１乃至第４のケーブル用スリット３１1〜３１4は第１および第２の光ファイバケーブル１1，１2と密着し、メッセンジャワイヤ２を把持している第１および第２のメッセン用スリット３２1，３２2はメッセンジャワイヤ２と密着するため、本復旧までの間に雨などが緊急復旧用クロージャ１０の両端面から本体２０内に入ることを防止することができる。
【００２３】
次に、緊急復旧用クロージャ１０の本体２０内に図８に示したクロージャ９００を収容する手順について説明する。
作業員は、緊急復旧用クロージャ１０の上部カバー２１と下部カバー２２とが開いた状態で、第１および第２のスポンジ部材３０1，３０2にそれぞれ形成された第１および第２のメッセン用スリット３２1，３２2にメッセンジャワイヤ２を挿入する。その後、作業員は、第１および第２のメッセン支持金具４１1，４１2の下部を開いてメッセンジャワイヤ２を通して第１および第２の切欠き２３1，２３2に入れたのち、第１および第２のボルト５０1，５０2と第１および第２のナット５１1，５１2とで第１および第２のメッセン支持金具４１1，４１2の下部をそれぞれ固定することにより、緊急復旧用クロージャ１０をメッセンジャワイヤ２に固定する。
このとき、第１および第２の光ファイバケーブル１1，１2の上半分は、第１および第２のスポンジ部材３０1，３１2に１０本ずつ形成された第１および第２のケーブル用スリット３１1，３１2のうちの１本にそれぞれ挿入して把持される。
【００２４】
その後、作業員は、上部カバー２１と下部カバー２２とを閉じる。このとき、第１および第２の光ファイバケーブル１1，１2の下半分が、第３および第４のスポンジ部材３０3，３１4に１０本ずつ形成された第３および第４のケーブル用スリット３１3，３１4のうちの１本にそれぞれ挿入して把持される。
【００２５】
これにより、図６に示すように、損傷したクロージャ９００をメッセンジャワイヤ２に固定したままでメッセンジャワイヤ２およびクロージャ９００を緊急復旧用クロージャ１０内に収容して、クロージャ９００を保護することができる。
【００２６】
その後、作業員は、固定バンドなどで上部カバー２１および下部カバー２２を固定することにより、上部カバー２１と下部カバー２２とが開かないようにする。
【００２７】
なお、上部カバー２１および下部カバー２２の長さ（長手方向の長さ）をクロージャ９００の長さよりも１ｍ程度長くすることにより、クロージャ９００の損傷に伴い第１および第２の光ファイバケーブル１1，１2の外被が損傷した場合に、クロージャ９００から５０ｃｍの範囲の第１および第２の光ファイバケーブル１1，１2を保護することもできる。
【実施例２】
【００２８】
次に、本発明の第２の実施例による緊急復旧用クロージャ１００について、図７を参照して説明する。
本実施例による急復旧用クロージャ１００は、図７に示すように、以下の（１）〜（４）に示す点で上述した第１の実施例による緊急復旧用クロージャ１０と異なる。
【００２９】
（１）本体２０の代わりに第１および第２の端面部１１０1，１１０2を具備する。
ここで、第１の端面部１１０1は、第１の上部カバー１２１1と第１の下部カバー１２２1とからなり、第１の上部カバー１２１1と第１の下部カバー１２２1とは互いの厚さ方向に沿った辺同士がヒンジ（不図示）によって開閉自在に連結されている。同様に、第２の端面部１１０2は、第２の上部カバー１２１2と第２の下部カバー１２２2とからなり、第２の上部カバー１２１2と第２の下部カバー１２２2とは互いの厚さ方向に沿った辺同士がヒンジ（不図示）によって開閉自在に連結されている。
第１および第２の上部カバー１２１1，１２１2の上面および側面には、第１および第２の面ファスナー・ループ面１８１1，１８１2が取り付けられており、第１および第２の下部カバー１２２1，１２２2の下面および側面には、第３および第４の面ファスナー・ループ面１８１3，１８１4が取り付けられている。
【００３０】
（２）第１のスポンジ部材１３０1は、第１の上部カバー１２１1の下側部分に形成された第１の上部開口部１２１ａ1（不図示）および第１の上部カバー１２１1の上方中央に形成された半円状の第１の切欠き１２３1（不図示）を塞ぐように第１の上部カバー１２１1に取り付けられている。
第２のスポンジ部材１３０2は、第２の上部カバー１２１2の下側部分に形成された第２の上部開口部１２１ａ2（不図示）および第２の上部カバー１２１2の上方中央に形成された半円状の第２の切欠き１２３2（不図示）を塞ぐように第２の上部カバー１２１2に取り付けられている。
第３のスポンジ部材１３０3は、第１の下部カバー１２２1の上側部分に形成された第１の下部開口部１２２ａ1（不図示）を塞ぐように第１の下部カバー１２２1に取り付けられている。
第４のスポンジ部材１３０4は、第２の下部カバー１２２2の上側部分に形成された第２の下部開口部１２２ａ2（不図示）を塞ぐように第２の下部カバー１２２2に取り付けられている。
【００３１】
（３）第１および第２の端面部１１０1，１１０2が互いに対向するように第１および第２の端面部１１０1，１１０2を支持するための第１乃至第６の伸縮ロッド１６０1〜１６０6を具備する。
ここで、第１乃至第３の伸縮ロッド１６０1〜１６０3の両端は、第１および第２の上部カバー１２１1，１２１2の内側の面の上側、左下側および右下側にそれぞれ固定されており、また、第４乃至第６の伸縮ロッド１６０4〜１６０6の両端は、第１および第２の下部カバー１２２1，１２２2の内側の面の下側、左上側および右上側にそれぞれ固定されている。
第１乃至第６の伸縮ロッド１６０1〜１６０6はそれぞれ、外筒と、外筒の内部にスライド自在に挿入された内筒とを備え、外筒に対して内筒を引き出したり押し込んだりすることにより伸縮可能とされている。また、第１乃至第６の伸縮ロッド１６０1〜１６０6にはそれぞれ、外筒に対して内筒を任意の位置で固定するためのロック機構が設けられている。このロック機構は、たとえば、先端部で内筒を保持するように外筒の周壁を貫通して外筒に螺合するネジ部材で構成することができる。
【００３２】
（４）第１および第２の端面部１１０1，１１０2間の空間を密封するためのビニールカバー１７０（被覆部材）を具備する。
ここで、ビニールカバー１７０の両端（第１乃至第６の伸縮ロッド１６０1〜１６０6の長手方向の両端）には、第１および第２の面ファスナー・フック面１８２1，１８２2が取り付けられている。これにより、第１の上部カバー１２１1と第１の下部カバー１２２1とを閉じるとともに第２の上部カバー１２１2と第２の下部カバー１２２2とを閉じた状態で、第１の面ファスナー・フック面１８２1を第１および第３の面ファスナー・ループ面１８１1，１８１3に押し付けながらビニールカバー１７０を第１の上部カバー１２１1および第１の下部カバー１２２1に巻き付けるとともに、第２の面ファスナー・フック面１８２2を第２および第４の面ファスナー・ループ面１８１2，１８１4に押し付けながらビニールカバー１７０を第２の上部カバー１２１2および第２の下部カバー１２２2に巻き付けることにより、第１および第２の端面部１１０1，１１０2間の空間を密封することができる。
ビニールカバー１７０の長さ（第１乃至第６の伸縮ロッド１６０1〜１６０6の長手方向の長さ）は、第１乃至第６の伸縮ロッド１６０1〜１６０6を最大限伸ばしたときの第１の端面部１１０1の外側の面と第２の端面部１１０2の外側の面との間隔とされている。また、ビニールカバー１７０は、第１乃至第６の伸縮ロッド１６０1〜１６０6の伸縮方向に伸縮し易いように、第１乃至第６の伸縮ロッド１６０1〜１６０6の伸縮方向に沿って蛇腹状にされている。
【００３３】
以上のように構成された緊急復旧用クロージャ１００を用いても、損傷したクロージャ９００をメッセンジャワイヤ２に固定したままでメッセンジャワイヤ２およびクロージャ９００を緊急復旧用クロージャ１００内に収容して、クロージャ９００を保護することができる。
【００３４】
なお、第１乃至第６の伸縮ロッド１６０1〜１６０6の伸縮方向に伸縮し易いようにビニールカバー１７０は蛇腹状にしたが、ビニールカバー１７０の一方の端側に面ファスナー・フック面を所定の間隔で取り付けておき、第１および第２の端面部１１０1，１１０2の間隔を所定の間隔で調整することができるようにしてもよい。
【００３５】
また、第１および第２の端面部１１０1，１１０2の間隔を調整することができるように第１乃至第６の伸縮ロッド１６０1〜１６０6を用いたが、第１および第２の端面部１１０1，１１０2の間隔を調整する必要がない場合には、第１乃至第６の伸縮ロッド１６０1〜１６０6の代わりに棒状の第１乃至第６のロッドを用いればよい。
【００３６】
さらに、図６に示したように第１および第２のメッセン支持金具４１1，４１2を用いて上部カバー２１をメッセンジャワイヤ２に固定したが、図９に示すような第１および第２のメッセン支持金具４２1，４２2を用いて下部カバー２２をメッセンジャワイヤ２に固定してもよい。この場合には、下部カバー２２をメッセンジャワイヤ２に固定したまま上部カバー２１を外して作業をすることができる。
なお、第１および第２のメッセン支持金具４２1，４２2は、上半分がメッセンジャワイヤ２を通すことができるように左右に開閉自在となった第１および第２のメッセン支持部と、一端が第１および第２のメッセン支持部の底部にそれぞれ固定されるとともに他端が下部カバー２２の第１および第２の下部開口部２２ａ1，２２ａ2の下方中央にそれぞれ固定されたＬ字状の支持材（たとえば、アルミ棒やステンレス板）とから構成されている。
【００３７】
さらにまた、第１および第２の光ファイバケーブル１1，１2とメッセンジャワイヤ２とを本体２０内に導入するためのケーブル・ワイヤ導入部材としてスポンジ部材（第１乃至第４のスポンジ部材３０1〜３０4，１３０1〜１３０4）を用いたが、他の部材（たとえば、ゴム製のパッキン）を用いてもよい。
【図面の簡単な説明】
【００３８】
【図１】本発明の第１の実施例による緊急復旧用クロージャ１０の構成を示す図である。
【図２】図１に示した上部カバー２１の端面の構成を説明するための図である。
【図３】図１に示した第１のスポンジ部材３０1の構成を説明するための図である。
【図４】図１に示した下部カバー２２の端面の構成を説明するための図である。
【図５】図１に示した第３のスポンジ部材３０3の構成を説明するための図である。
【図６】図１に示した緊急復旧用クロージャ１０の本体２０内に図８に示したクロージャ９００を収容した状態を示す図である。
【図７】本発明の第２の実施例による緊急復旧用クロージャ１００の構成を示す図である。
【図８】一部が損傷したクロージャ９００の状態を示す図である。
【図９】第１および第２のメッセン支持金具４２1，４２2を用いて下部カバー２２をメッセンジャワイヤ２に固定した状態を示す図である。
【符号の説明】
【００３９】
１1，１2  第１および第２の光ファイバケーブル
２  メッセンジャワイヤ
１０，１００  緊急復旧用クロージャ
２０  本体
２１  上部カバー
２１ａ1，２１ａ2， １２１ａ1，１２１ａ2  第１および第２の上部開口部
２２  下部カバー
２２ａ1，２２ａ2，１２２ａ1，１２２ａ2  第１および第２の下部開口部
２３1，２３2，１２３1，１２３2  第１および第２の切欠き
３０1〜３０4，１３０1〜１３０4  第１乃至第４のスポンジ部材
３１1〜３１4，１３１1〜１３１4  第１乃至第４のケーブル用スリット
３２1，３２2，１３２1，１３２2  第１および第２のメッセン用スリット
４１1，４１2，４２1，４２2，１４１1，１４１2  第１および第２のメッセン支持金具
５０1，５０2  第１および第２のボルト
５１1，５１2  第１および第２のナット
１１０1，１１０2  第１および第２の端面部
１２１1，１２１2  第１および第２の上部カバー
１２２1，１２２2  第１および第２の下部カバー
１６０1〜１６０6  第１乃至第６の伸縮ロッド
１７０  ビニールカバー
１８１1〜１８１4  第１乃至第４の面ファスナー・ループ面
１８２1，１８２2  第１および第２の面ファスナー・フック面
９００  クロージャ
【図１】
2008176122.tif 000003
【図２】
2008176122.tif 000004
【図３】
2008176122.tif 000005
【図４】
2008176122.tif 000006
【図５】
2008176122.tif 000007
【図６】
2008176122.tif 000008
【図７】
2008176122.tif 000009
【図８】
2008176122.tif 000010
【図９】
2008176122.tif 000011